(57)【要約】  【課題】取付位置・角度の調整作業の作業性に優れたアンテナの取付構造を提供する。  【解決手段】金属製の球形ヘッド２０を有する一対のカプラ２と、両端部３１に球形ヘッド２０を収容する球面ソケット３３を有する金属製の一対の分割アーム３と、球形ヘッド２０と球面ソケット３３との間に介在する摺動部材からなる球面シート４と、一方のカプラ３の球形ヘッド２０が球面シート４を介して一対の分割アーム３の一方の端部３１の球面ソケット３３間に保持され、他方のカプラ２の球形ヘッド２０が球面シート４を介して一対の分割アーム３の他方の端部３１の球面ソケット３３間に保持されるように、一対のカプラ２を挟み込んだ一対の分割アーム３を締め付けるクランプ機構６と、を備える。【選択図】図２
2018056663.tif 000002
【特許請求の範囲】
【請求項１】
設置ベースに対するアンテナの取付位置および取付角度を調整可能なアンテナの取付構造であって、
金属製の球形ヘッドを有し、一方が前記アンテナ側に取り付けられ、他方が前記設置ベース側に取り付けられる一対のカプラと、
両端部に前記球形ヘッドを収容する金属製の球面ソケットを有する一対の分割アームと、
前記球面ソケットと前記球形ヘッドとの間に介在する摺動部材と、
一方の前記カプラの前記球形ヘッドが前記摺動部材を介して前記一対の分割アームの一方の端部の前記球面ソケット間に保持され、他方の前記カプラの前記球形ヘッドが前記摺動部材を介して前記一対の分割アームの他方の端部の前記球面ソケット間に保持されるように、前記一対のカプラを挟み込んだ前記一対の分割アームを締め付けるクランプ機構と、を備える
ことを特徴とするアンテナの取付構造。
【請求項２】
請求項１に記載のアンテナの取付構造であって、
前記摺動部材は、
前記球面ソケット毎に設けられ、
前記球形ヘッドと摺動する摺動凹面および前記球面ソケットと摺動する摺動凸面の少なくとも一方を有する
ことを特徴とするアンテナの取付構造。
【請求項３】
請求項１に記載のアンテナの取付構造であって、
前記摺動部材は、
前記球形ヘッドの表面に配置され、前記球面ソケットと摺動する
ことを特徴とするアンテナの取付構造。
【請求項４】
請求項１に記載のアンテナの取付構造であって、
前記摺動部材は、
前記球面ソケットの表面に配置され、前記球形ヘッドと摺動する
ことを特徴とするアンテナの取付構造。
【請求項５】
請求項１ないし４のいずれか一項に記載のアンテナの取付構造であって、
前記摺動部材は、ゴムより高い弾性率で厚さ方向に変形可能である
ことを特徴とするアンテナの取付構造。
【請求項６】
請求項５に記載のアンテナの取付構造であって、
前記摺動部材は、
厚さ方向に伸縮可能なエキスパンドメタルと、
前記エキスパンドメタルを被覆した樹脂層と、を有する
ことを特徴とするアンテナの取付構造。
【請求項７】
請求項１ないし６のいずれか一項に記載のアンテナの取付構造であって、
前記一対の分割アーム各々は、
互いに対向する側面の前記両端部において、端に行くほど厚さが薄くなる方向へ傾斜する傾斜面を有し、
前記球面ソケットは、前記傾斜面に設けられている
ことを特徴とするアンテナの取付構造。
【請求項８】
請求項１ないし７のいずれか一項に記載のアンテナの取付構造であって、
前記一対の分割アーム各々は、前記両端部の幅が端に行くほど狭い
ことを特徴とするアンテナの取付構造。
【請求項９】
請求項１ないし８いずれか一項に記載のアンテナの取付構造であって、
前記一対のカプラの一方のカプラに取り付けられ、前記アンテナを保持するための取付部材と、
前記一対のカプラの他方のカプラに取り付けられ、前記設置ベースに固定するための固定部材と、をさらに備える
ことを特徴とするアンテナの取付構造。
【発明の詳細な説明】
【技術分野】
【０００１】
本発明は、アンテナの取付構造に関し、特に、指向性アンテナを内蔵した無線基地局の取付構造に関する。
【背景技術】
【０００２】
指向性アンテナを内蔵した無線基地局を壁等の設置ベースに取り付ける場合、指向性アンテナの受信感度を高めるため、指向性アンテナの取付位置・角度を自在に調整できることが望まれる。特許文献１には、設置ベースに対して所望の取付位置・角度に調整することができる取付構造が開示されている。この取付構造を用いることにより、指向性アンテナの取付位置・角度を自在に調整可能となる。
【０００３】
特許文献１に記載の取付構造は、ニトリルゴム製の表層を有する球形ヘッドを有する一対のカプラと、両端部にカプラの球形ヘッドを収容する球面ソケットを有する一対の分割アームと、一対の分割アームを束ねるクランプ機構と、を備えている。この取付構造は、一方のカプラの球形ヘッドが一対の分割アームの一方の端部の球面ソケット間に保持され、他方のカプラの球形ヘッドが一対の分割アームの他方の端部の球面ソケット間に保持されるように、一対のカプラを挟み込んだ一対の分割アームを、クランプ機構で締め付けることにより、組み立てられる。
【先行技術文献】
【特許文献】
【０００４】
【特許文献１】米国特許第５８４５８８５号明細書
【発明の概要】
【発明が解決しようとする課題】
【０００５】
しかし、特許文献１に記載の取付構造は、比較的軽量な小画面サイズの医学用モニタを取付対象としており、重量が数十キログラムもあるような無線基地局を取り付けることを想定していない。このため、つぎのような問題が生じる。
【０００６】
すなわち、特許文献１に記載の取付構造は、球形ヘッドの表層を摩擦係数の高いニトリルゴムで形成しているため、クランプ機構の締め付けに対する感度（球形ヘッドおよび球面ソケット間の摩擦力の変化具合）が高い。このため、無線基地局を所望の取付位置・角度で維持できるようにクランプ機構の締付力を少し強めると、球形ヘッドおよび球面ソケット間の摩擦力が大きくなりすぎて球形ヘッドを回転させることが困難になることがある。一方、無線基地局の取付位置・角度を容易に変更できるようにクランプ機構の締付力を少し弱めると、球形ヘッドおよび球面ソケット間の摩擦力が小さくなりすぎて球形ヘッドがすぐに回転してしまい、無線基地局を所望の取付位置・角度に維持することが困難になることがある。したがって、クランプ機構の締付力の微調整が必要となる。また、ニトリルゴムは弾性率が低いので、無線基地局の重量により球形ヘッドが大きく弾性変形し、無線基地局を所望の取付位置・角度に設定する作業が困難となることもある。
【０００７】
本発明は上記事情に鑑みてなされたものであり、取付位置・角度の調整作業の作業性に優れたアンテナの取付構造を提供することにある。
【課題を解決するための手段】
【０００８】
上記課題を解決するために、本発明では、カプラの球形ヘッドおよび分割アームの球面ソケットを金属で形成するとともに、球形ヘッドと球面ソケットとの間に摺動部材を介在させた。ここで、摺動部材は、ゴムより高い弾性率で厚み方向に変形可能であることが好ましい。このような摺動部材として、厚さ方向に伸縮可能なエキスパンドメタルを、例えば四ふっ化エチレン樹脂を主成分として、これにフェノール樹脂および／またはポリイミド樹脂を含有してなる潤滑性組成物で形成される樹脂層で被覆した摺動部材を用いることができる。樹脂層を形成する潤滑性組成物は、ポリアミド樹脂、ポリアセタール樹脂、ポリオレフィン樹脂、ポリエステル樹脂、ポリフェニレンサルファイド樹脂、ポリエーテルエーテルケトン樹脂、四ふっ化エチレン樹脂等の合成樹脂１種または２種以上からなる樹脂組成物、または、上記合成樹脂１種または２種以上を主成分とし、これに、潤滑油、ワックス、黒鉛、二硫化モリブデン、リン酸塩、四ふっ化エチレン樹脂（主成分に四ふっ化エチレン樹脂を含む場合を除く）等の潤滑油剤１種または２種以上を含有する樹脂組成物であってもよい。
【０００９】
例えば、本発明は、設置ベースに対するアンテナの取付位置および取付角度を調整可能なアンテナの取付構造であって、
金属製の球形ヘッドを有し、一方が前記アンテナ側に取り付けられ、他方が前記設置ベース側に取り付けられる一対のカプラと、
両端部に前記球形ヘッドを収容する金属製の球面ソケットを有する一対の分割アームと、
前記球面ソケットと前記球形ヘッドとの間に介在する摺動部材と、
一方の前記カプラの前記球形ヘッドが前記摺動部材を介して前記一対の分割アームの一方の端部の前記球面ソケット間に保持され、他方の前記カプラの前記球形ヘッドが前記摺動部材を介して前記一対の分割アームの他方の端部の前記球面ソケット間に保持されるように、前記一対のカプラを挟み込んだ前記一対の分割アームを締め付けるクランプ機構と、を備える。
【発明の効果】
【００１０】
本発明では、球形ヘッドと球面ソケットとの間に摺動部材を介在させているので、クランプ機構の締め付けに対する感度が低い。このため、クランプ機構の締付力の多少の強弱によって、球形ヘッドおよび球面ソケット間の摩擦力が大きく変化することはないので、クランプ機構の締付力の微調整が不要となる。また、球形ヘッドおよび球面ソケットを金属で形成しているので、アンテナの重量により球形ヘッドが大きく変形することもない。したがって、本発明によれば、取付位置・角度の調整作業の作業性に優れたアンテナの取付構造を提供することができる。
【００１１】
なお、本発明において、ゴムより高い弾性率で厚み方向に変形可能な摺動部材を用いることにより、設置対象のアンテナの重量による摺動部材の変形を抑制しつつ、クランプ機構に適度な締付力を付与することにより、摺動部材が厚さ方向に変形して球形ヘッドおよび球面ソケットの寸法のばらつきを吸収し、より確実に摺動部材を球形ヘッドおび球面ソケットに摺接させることができ、これにより、球形ヘッドおよび球面ソケット間の摩擦力を安定させ、取付位置・角度の調整作業をより円滑に行うことができる。
【図面の簡単な説明】
【００１２】
【図１】図１（Ａ）および図１（Ｂ）は、本発明の一実施の形態に係るアンテナの取付構造１の正面図および側面図である。
【図２】図２は、本発明の一実施の形態に係るアンテナの取付構造１の部品展開図である。
【図３】図３（Ａ）および図３（Ｂ）は、球面シート４の正面図および側面図であり、図３（Ｃ）は、図３（Ａ）に示す球面シート４のＡ−Ａ断面図であり、図３（Ｄ）は、図３（Ｃ）に示す球面シート４のＡ部拡大図である。
【図４】図４（Ａ）および図４（Ｂ）は、球面シート４の変形例である球面シート４Ａの正面図および側面図であり、図４（Ｃ）は、図４（Ａ）に示す球面シート４ＡのＢ−Ｂ断面図であり、図４（Ｄ）は、図４（Ｃ）に示す球面シート４ＡのＢ部拡大図である。
【発明を実施するための形態】
【００１３】
以下に、本発明の一実施の形態について説明する。
【００１４】
本実施の形態に係るアンテナの取付構造１は、指向性アンテナを内蔵した無線基地局等のアンテナを、壁等の設置ベースに取り付けるためのものであり、設置ベースに対してアンテナの取付位置・角度を自在に調整可能である。
【００１５】
図１（Ａ）および図１（Ｂ）は、本実施の形態に係るアンテナの取付構造１の正面図および側面図である。また、図２は、本実施の形態に係るアンテナの取付構造１の部品展開図である。
【００１６】
図示するように、本実施の形態に係るアンテナの取付構造１は、一対のカプラ２と、一対の分割アーム３と、球面シート４と、一対のプレート５と、ボルト６０およびナット６１からなるクランプ機構６と、を備えている。
【００１７】
カプラ２は、金属製の球形ヘッド２０と、球形ヘッド２０に連結され、先端部２２に雄ネジ部２３が形成されたスタッド２１と、を有する。
【００１８】
分割アーム３は、柱状の金属部材であり、他方の分割アーム３と対向する側面３０の両端部３１に形成され、端に行くほど厚さＴが薄くなる方向へ傾斜する傾斜面３２と、側面３０の両端部３１の傾斜面３２に形成され、カプラ２の球形ヘッド２０の一部（半球より小さい領域）を収容する球面ソケット３３と、側面３０および側面３０の反対側の側面３４を貫くボルト６０挿入用の貫通孔３５と、を有する。また、分割アーム３の両端部３１は、端に行くほど幅Ｗが狭くなっている。
【００１９】
球面シート４は、球面ソケット３３毎に設けられ、球面ソケット３３とこの球面ソケット３３に収容される球形ヘッド２０との間に介在し、両者間の摺動を支援する。
【００２０】
図３（Ａ）および図３（Ｂ）は、球面シート４の正面図および側面図であり、図３（Ｃ）は、図３（Ａ）に示す球面シート４のＡ−Ａ断面図であり、図３（Ｄ）は、図３（Ｃ）に示す球面シート４のＡ部拡大図である。
【００２１】
図示するように、球面シート４は、球面ソケット３３と略同じ球径を有し、球面ソケット３３と摺接する球面状の摺動凸面４０と、球形ヘッド２０と略同じ球径を有し、球形ヘッド２０と摺接する球面状の摺動凹面４１と、を有する。
【００２２】
球面シート４には、ゴムより高い弾性率で厚さ方向Ｄに伸縮可能な樹脂部材が用いられる。具体的には、球面シート４は、厚さ方向Ｄに起伏して厚さ方向Ｄに伸縮可能な金属メッシュ４２を基材とし、この基材を、金属メッシュ４２の形成材料よりも低摩擦係数の樹脂層４３で充填、被覆した複合材料により形成される。このような金属メッシュ４２としては、例えば、所定方向のスリットの列を複数行形成した燐青銅製の金属プレートを、スリットの方向と交わる方向に引き伸ばすことにより形成された網目状のエキスパンドメタルが挙げられる。また、樹脂層４３は、例えば、四ふっ化エチレン樹脂を主成分として、これにフェノール樹脂および／またはポリイミド樹脂を含有してなる潤滑性組成物で形成される。樹脂層４３を形成する潤滑性組成物は、ポリアミド樹脂、ポリアセタール樹脂、ポリオレフィン樹脂、ポリエステル樹脂、ポリフェニレンサルファイド樹脂、ポリエーテルエーテルケトン樹脂、四ふっ化エチレン樹脂等の合成樹脂１種または２種以上からなる樹脂組成物、または、上記合成樹脂１種または２種以上を主成分とし、これに、潤滑油、ワックス、黒鉛、二硫化モリブデン、リン酸塩、四ふっ化エチレン樹脂（主成分に四ふっ化エチレン樹脂を含む場合を除く）等の潤滑油剤１種または２種以上を含有する樹脂組成物であってもよい。
【００２３】
プレート５は、カプラ２のスタッド２１の雄ネジ部２３と螺合するネジ穴５０と、指向性アンテナを内蔵した無線基地局等のアンテナを取り付けるため、あるいは、アンテナの取付構造１を壁等の設置ベースに固定するために用いられるネジ穴５１と、を有する。
【００２４】
上記構成のアンテナの取付構造１は、例えばつぎのようにして組み立てられる。
【００２５】
まず、一対の分割アーム３それぞれの互いに対向する側面３０の両端部３１の傾斜面３２に形成された球面ソケット３３各々に、球面シート４を、球面シート４の摺動凸面４０を球面ソケット３３に向けて装着する。
【００２６】
つぎに、一方のカプラ２の球形ヘッド２０が、一対の分割アーム３それぞれの互いに対向する側面３０の一方の端部３１の球面ソケット３３に装着された球面シート４各々の摺動凹面４１に収容され、他方のカプラ２の球形ヘッド２０が、一対の分割アーム３それぞれの互いに対向する側面３０の他方の端部３１の球面ソケット３３に装着された球面シート４各々の摺動凹面４１に収容されるように、一対のカプラ２を一対の分割アーム３で挟み込む。
【００２７】
それから、一対の分割アーム３各々の貫通孔３５にボルト６０を一方の分割アーム３の側面３４から挿入し、他方の分割アームの側面３４において貫通孔３５から突出したボルト６０にナット６１を螺合させて、一対の分割アーム３を締め付ける。
【００２８】
つぎに、一方のカプラ２のスタッド２１の雄ネジ部２３を一方のプレート５のネジ穴５０に螺合させ、他方のカプラ２のカプラ２のスタッド２１の雄ネジ部２３を他方のプレート５のネジ穴５０に螺合させて、各カプラ２にプレート５を取り付ける。以上により、アンテナの取付構造１が組み立てられる。
【００２９】
このようにして組み立てられたアンテナの取付構造１の一方のプレート５に、指向性アンテナを内蔵した無線基地局等のアンテナを、例えばネジ穴５１を利用してボルトで取り付けるとともに、他方のプレート５を、壁等の設置ベースに、例えばネジ穴５１を利用してボルトで固定する。それから、ナット６１の螺合具合を調整して、一対のカプラ２各々の球形ヘッド２０を、球面シート４を介してこの球形ヘッド２０を収容する一対の分割アーム３の球面ソケット３３に対して摺動させる。これにより、他方のプレート５が固定された設置ベースに対して、一方のプレート５に取り付けられたアンテナの取付位置・角度を調整する。その後、ナット６１の螺合具合を調整して、一対のカプラ２各々の球形ヘッド２０の一対の分割アーム３の球面ソケット３３に対する摺動を規制することにより、設置ベースに対するアンテナの取付位置・角度を固定する。
【００３０】
以上、本発明の一実施の形態について説明した。
【００３１】
本実施の形態では、カプラ２の球形ヘッド２０とこの球形ヘッド２０を収容する分割アーム３の球面ソケット３３との間に摺動部材からなる球面シート４を配置しているので、クランプ機構６の締め付けに対する感度（球形ヘッド２０および球面ソケット３３間の摩擦力の変化具合）が低い。このため、クランプ機構６の締付力の多少の強弱によって、球形ヘッド２０および球面ソケット３３間の摩擦力が大きく変化することはないので、クランプ機構６の締付力の微調整が不要となる。また、球形ヘッド２０および球面ソケット３３を金属で形成しているので、アンテナの重量により球形ヘッド２０が大きく変形することもない。したがって、本実施の形態によれば、取付位置・角度の調整作業の作業性に優れたアンテナの取付構造１を提供することができる。
【００３２】
また、本実施の形態では、球面シート４として、ゴムより高い弾性率で厚さ方向Ｄに伸縮可能な樹脂部材、具体的には、厚さ方向Ｄに起伏して厚さ方向Ｄに伸縮可能な金属メッシュ４２を基材とし、この基材を、金属メッシュ４２の形成材料よりも低摩擦係数の樹脂層４３で充填、被覆した複合材料を用いている。このため、設置対象のアンテナの重量による球面シート４の変形を抑制しつつ、クランプ機構６に適度な締付力を付与することにより、球面シート４が厚さ方向Ｄに圧縮し変形して球形ヘッド２０および球面ソケット３３の寸法のばらつきを吸収するととともに、圧縮された金属メッシュ４２の復元力により、より確実に球面シート４の摺動凸面４０および摺動凹面４１を、それぞれ球面ソケット３３および球形ヘッド２０に摺接させることができる。これにより、球形ヘッド２０および球面ソケット３３間の摩擦力を安定させて、アンテナの取付位置・角度の調整作業をより円滑に行うことができる。
【００３３】
また、本実施の形態では、カプラ２の球形ヘッド２０を収容する球面ソケット３３を、一対の分割アーム３それぞれの互いに対向する側面３０の両端部３１において、端に行くほど厚さＴが薄くなる方向へ傾斜する傾斜面３２に設けている。このため、カプラ２のスタッド２１の可動範囲を広くすることができ、これにより、アンテナの取付位置・角度の調整範囲を広くすることができる。
【００３４】
また、本実施の形態では、一対の分割アーム３それぞれの両端部３１の幅Ｗを端に行くほど狭くしているので、カプラ２のスタッド２１の可動範囲をさらに広くすることができ、これにより、アンテナの取付位置・角度の調整範囲をさらに広くすることができる。
【００３５】
なお、本発明は上記の実施の形態に限定されず、その要旨の範囲内で数々の変形が可能である。
【００３６】
例えば、上記の実施の形態では、球面ソケット３３と摺接する球面状の摺動凸面４０および球形ヘッド２０と摺接する球面状の摺動凹面４１の両方を有する球面シート４を用いた場合を例にとり説明した。しかし、本発明はこれに限定されない。球面シート４は、摺動凸面４０および摺動凹面４１の少なくとも一方を有するものであればよい。
【００３７】
図４（Ａ）および図４（Ｂ）は、球面シート４の変形例である球面シート４Ａの正面図および側面図であり、図４（Ｃ）は、図４（Ａ）に示す球面シート４ＡのＢ−Ｂ断面図であり、図４（Ｄ）は、図４（Ｃ）に示す球面シート４ＡのＢ部拡大図である。ここで、図３に示す球面シート４と同じ機能を有するものには同じ符号を付している。
【００３８】
図示するように、この球面シート４Ａは、球形ヘッド２０と略同じ球径を有し、球形ヘッド２０と摺接する球面状の摺動凹面４１と、球面ソケット３３と略同じ球径を有し、摺動凹面４１よりも高い摩擦力で球面ソケット３３に接触する球面状の摩擦凸面４４と、を有する。
【００３９】
球面シート４Ａは、エキスパンドメタル等の厚さ方向Ｄに起伏して厚さ方向Ｄに伸縮可能な金属メッシュ４２を基材とし、この基材を、金属メッシュ４２の形成材料よりも低摩擦係数の樹脂層４３で充填、被覆した複合材料により形成され、摺動凹面４１では、金属メッシュ４２が樹脂層４３で完全に被覆されている一方、摩擦凸面４４では、金属メッシュ４２の一部が樹脂層４３から露出している。金属メッシュ４２の一部を樹脂層４３から露出させることにより、高摩擦係数の摩擦凸面４４を形成することができる。したがって、球面シート４Ａを球面ソケット３３により確実に装着することができ、これにより、球面シート４Ａが球面ソケット３３から脱落するのを防止することができる。
【００４０】
なお、ここでは、球形ヘッド２０と接触する凹面を樹脂層４３で完全に被覆することにより球形ヘッド２０と摺動させる一方、球面ソケット３３と接触する凸面から金属メッシュ４２を一部露出させることにより、この凸面を高い摩擦力で球面ソケット３３に接触させているが、球面ソケット３３と接触する凸面を樹脂層４３で完全に被覆することにより球面ソケット３３と摺動させ、球形ヘッド２０と接触する凹面から金属メッシュ４２を一部露出させることにより、この凹面を高い摩擦力で球形ヘッド２０に接触させてもよい。
【００４１】
また、上記の実施の形態において、球面シート４を球面ソケット３３の表面に接着剤等により固定することにより、球面ソケット３３の表面に摺動凹面４１を形成してもよい。また、球面シート４を球形ヘッド２０の表面に接着剤等により固定するか、あるいは球形ヘッド２０の表面を球面シート４と同じ摺動部材で被覆することにより、球面シート４の表面に摺動凸面４０を形成してもよい。
【００４２】
また、上記の実施の形態では、球面シート４として、ゴムより高い弾性率で厚さ方向Ｄに伸縮可能な樹脂部材、具体的には、厚さ方向Ｄに起伏して厚さ方向Ｄに伸縮可能な金属メッシュ４２を基材とし、この基材を、金属メッシュ４２の形成材料よりも低摩擦係数の樹脂層４３で充填、被覆した複合材料を用いている。しかし、本発明はこれに限定されない。球面シート４は、ゴムより高い弾性率で変形可能な摺動部材で形成されたものであればよい。このような摺動部材として、例えば、裏金上に形成された金属粉末焼結層を金属粉末焼結層の形成材料よりも低摩擦係数の樹脂層で充填、被覆した複合材料を用いてもよい。このような金属粉末焼結層としては、例えば青銅焼結層が挙げられる。また、樹脂層は、例えば四ふっ化エチレン樹脂を主成分として、これにフェノール樹脂および／またはポリイミド樹脂を含有してなる潤滑性組成物で形成される。または、裏金に、例えば四ふっ化エチレン樹脂を主成分として、これにフェノール樹脂および／またはポリイミド樹脂を含有してなる潤滑性組成物で形成された樹脂フィルムあるいは樹脂シートを貼り付けた複合材料を用いてもよい。ここで、樹脂層、樹脂フィルムおよび樹脂シートを形成する潤滑性組成物は、ポリアミド樹脂、ポリアセタール樹脂、ポリオレフィン樹脂、ポリエステル樹脂、ポリフェニレンサルファイド樹脂、ポリエーテルエーテルケトン樹脂、四ふっ化エチレン樹脂等の合成樹脂１種または２種以上からなる樹脂組成物、または、上記合成樹脂１種または２種以上を主成分とし、これに、潤滑油、ワックス、黒鉛、二硫化モリブデン、リン酸塩、四ふっ化エチレン樹脂（主成分に四ふっ化エチレン樹脂を含む場合を除く）等の潤滑油剤１種または２種以上を含有する樹脂組成物であってもよい。
【００４３】
また、上記の実施の形態では、アンテナの取付部材および設置ベースへの固定部材としてプレート５を用いているが、本発明はこれに限定されない。アンテナの取付部材は、アンテナを取り付けることができるものであればどのようなものでもよい。同様に、設置ベースの固定部材は、設置ベースに固定できるものであればどのようなものでもよい。
【符号の説明】
【００４４】
１：アンテナの取付構造、  ２：カプラ、  ３：分割アーム、  ４、４Ａ：球面シート、  ５：プレート、  ６：クランプ機構、  ２０：球形ヘッド、  ２１：スタッド、  ２２：スタッド２１の先端部、  ２３：スタッド２１の雄ネジ部、  ３０、３４：分割アーム３の側面、  ３１：分割アーム３の先端部、  ３２：分割アーム３の傾斜面、  ３３：球面ソケット、  ３５：分割アーム３の貫通孔、  ４０：摺動凸面、  ４１：摺動凹面、  ４２：金属メッシュ、  ４３：樹脂層、  ４４：摩擦凸面、  ５０、５１：プレート５のネジ穴、  ６０：ボルト、  ６１：ナット
【図１】
2018056663.tif 000003
【図２】
2018056663.tif 000004
【図３】
2018056663.tif 000005
【図４】
2018056663.tif 000006